(57)【要約】【課題】ワイヤレス通信システムにおいてサービス品質保証を提供するための方法及びシステムである。【解決手段】方法は主に：先ずワイヤレス通信システムにおいてロスレスリロケーションインジケータの情報を定義し；次にＷｉＭａｘシステムにおけるエンティティ間にロスレスリロケーション表示情報を含む情報を送信し；送信されたロスレスリロケーション表示情報に基づき対応するサービスストリームにサービス品質保証を提供することからなる。本発明の他の実施形態は、ＷｉＭａｘがロスレスリロケーションを選択的に実行できるように、ＭＳＳ−ＡＳＮ−ＣＳＮに関してＷｉＭａｘのＱｏＳパラメータを次から次へと定義する。従って、ＷｉＭａｘシステムに合理的なＱｏＳパラメータを提供することで、ワイヤレス通信システムのパフォーマンスを改善する。【選択図】図１
2011139528.tif 000002
【特許請求の範囲】
【請求項１】
ワイヤレス通信システムにおいてサービス品質保証を提供するための方法であって、
ワイヤレス通信システムにおけるエンティティ間でロスレスリロケーション表示情報を具備するサービス品質パラメータについて交渉する過程と、
転送されたロスレスリロケーション表示情報に従って特定のサービスフローにロスレス又は少なくとも比較的高いレベルのサービス品質保証を提供する過程と、を具備し、
ロスレスリロケーション表示情報は、
イントラアクセスサービスネットワークロスレスリロケーションを実行するか否かを示すインジケータと、
インターアクセスサービスネットワークロスレスリロケーションを実行するか否かを示すインジケータと、
イントラアクセスサービスネットワーククロスオペレータロスレスリロケーションを実行するか否かを示すインジケータと、
インターアクセスサービスネットワーククロスオペレータロスレスリロケーションを実行するか否かを示すインジケータと、
ロスレスリロケーションの保証目標を示すためのパラメータと、
ロスレスリロケーションの保証レベルを示すためのパラメータと
のうち少なくとも１つを具備することを特徴とする方法。
【請求項２】
サービス品質パラメータは、無線インタフェース上の要件を示すサービス品質パラメータと上部層サービスの情報を示すサービス品質パラメータとをさらに具備し、
無線インタフェース上の要件を示すサービス品質パラメータと上部層サービスの情報を示すサービス品質パラメータとに対応するサービス品質保証を提供する過程をさらに具備することを特徴とする請求項１に記載のワイヤレス通信システムにおいてサービス品質保証を提供するための方法。
【請求項３】
ワイヤレス通信システムは、ＷｉＭａｘシステムであって、ワイヤレス通信システムにおけるエンティティ間でサービス品質パラメータについて交渉する過程は、
アクセスサービスネットワークゲートウェイにサービスを設定するリクエストをモバイル加入者局によって送信し、サービス品質パラメータがリクエストで伝えられる過程と、
加入データに従ってサービスフローに対するサービス品質パラメータをアクセスサービスネットワークゲートウェイによってチェックする過程と、
アクセスサービスネットワークゲートウェイの制御下で、サービス品質パラメータに基づきモバイル加入者局のサービング基地局と接続サービスネットワークとの間で対応するサービス転送トンネルについて交渉及び設定する過程と
を具備することを特徴とする請求項１または２に記載のワイヤレス通信システムにおいてサービス品質保証を提供するための方法。
【請求項４】
サービス転送トンネルについて交渉及び設定するためのプロシージャは、
モバイル加入者局のサービス品質パラメータに従ってモバイル加入者局のサービング基地局に対して情報を交わすことを介して対応する無線ベアラをアクセスサービスネットワークゲートウェイによって設定する過程と、
モバイル加入者局のサービス品質パラメータに従って接続サービスネットワークに対して情報を交わすことを介して対応するトンネルをアクセスサービスネットワークゲートウェイによって設定する過程と
を具備することを特徴とする請求項３に記載のワイヤレス通信システムにおいてサービス品質保証を提供するための方法。
【請求項５】
サービス品質保証を提供するためのプロシージャは、
対応するサービス転送トンネルを設定した後、モバイル加入者局に応答メッセージをアクセスサービスネットワークゲートウェイによって返し、交渉されたサービス品質パラメータが応答メッセージで伝えられる過程と、
サービス転送トンネルに基づき対応するサービスをモバイル加入者局によって開始する過程と
を具備することを特徴とする請求項４に記載のワイヤレス通信システムにおいてサービス品質保証を提供するための方法。
【請求項６】
ワイヤレス通信システムは、ＷｉＭａｘシステムであって、ワイヤレス通信システムにおけるエンティティ間でサービス品質パラメータについて交渉する過程は、
ネットワークに接続するためにモバイル加入者局によって開始されたプロシージャからモバイル加入者局の加入データをアクセスサービスネットワークゲートウェイによって得る過程と、
加入データをアクセスサービスネットワークゲートウェイによってサービング基地局に送信する過程と、
サービスを設定するリクエストをサービング基地局へモバイル加入者局によって送信し、サービス品質パラメータ情報がリクエストで伝えられる過程と、
加入データとサービス品質パラメータ情報とに従ってサービスフローに対するサービス品質パラメータをサービング基地局によってチェック及び決定する過程と、
チェックされたサービス品質パラメータに従って、接続サービスネットワークに対してモバイル加入者局のサービング基地局によって交渉し、接続サービスネットワークに対応するサービス転送トンネルをモバイル加入者局のサービング基地局によって設定する過程と
を具備することを特徴とする請求項１または２に記載のワイヤレス通信システムにおいてサービス品質保証を提供するための方法。
【請求項７】
交渉するためのプロシージャは、
モバイル加入者局のハンドオーバ又はロケーション更新が発生する時、モバイル加入者局の新たなサービング基地局にサービス品質パラメータ情報をアクセスサービスネットワークゲートウェイによって送信する過程をさらに具備することを特徴とする請求項６に記載のワイヤレス通信システムにおいてサービス品質保証を提供するための方法。
【請求項８】
サービス品質保証を提供するためのプロシージャは、
対応するサービス転送トンネルを設定した後、モバイル加入者局に応答メッセージをサービング基地局によって返し、モバイル加入者局の交渉されたサービス品質パラメータ情報が応答メッセージで伝えられる過程と、
サービス転送トンネルに基づきサービスをモバイル加入者局によって開始する過程と
を具備することを特徴とする請求項６または７に記載のワイヤレス通信システムにおいてサービス品質保証を提供するための方法。
【請求項９】
ワイヤレス通信システムは、ＷｉＭａｘシステムであって、ワイヤレス通信システムにおけるエンティティ間でサービス品質パラメータについて交渉する過程は、
ネットワークに接続するためにモバイル加入者局によって開始されたプロシージャからモバイル加入者局の加入データをサービング基地局によって得る過程と、
サービスを設定するリクエストをサービング基地局へモバイル加入者局によって送信し、サービス品質パラメータ情報がリクエストで伝えられる過程と、
加入データとサービス品質パラメータ情報とに従ってサービスフローに対するサービス品質パラメータをサービング基地局によってチェック及び決定する過程と、
チェックされたサービス品質パラメータに従って、接続サービスネットワークに対してモバイル加入者局のサービング基地局によって交渉し、接続サービスネットワークに対応するサービス転送トンネルをモバイル加入者局のサービング基地局によって設定する過程と
を具備することを特徴とする請求項１または２に記載のワイヤレス通信システムにおいてサービス品質保証を提供するための方法。
【請求項１０】
サービス品質保証を提供するためのプロシージャは、
対応するサービス転送トンネルの設定後、モバイル加入者局へ応答メッセージをサービング基地局によって返し、モバイル加入者局の交渉されたサービス品質パラメータ情報が応答メッセージで伝えられる過程と、
サービス転送トンネルに基づき対応するサービスをモバイル加入者局によって開始する過程と
を具備することを特徴とする請求項９に記載のワイヤレス通信システムにおいてサービス品質保証を提供するための方法。
【請求項１１】
サービス品質を実行するためのエンティティを具備し、
サービス品質を実行するためのネットワークエンティティは、リロケーションパフォーマンス表示パラメータを含むサービス品質パラメータについて互いに交渉し、転送されたロスレスリロケーション表示情報に従って特定のサービスフローにサービス品質保証を提供し、
ロスレスリロケーション表示情報は、
イントラアクセスサービスネットワークロスレスリロケーションを実行するか否かを示すインジケータと、
インターアクセスサービスネットワークロスレスリロケーションを実行するか否かを示すインジケータと、
イントラアクセスサービスネットワーククロスオペレータロスレスリロケーションを実行するか否かを示すインジケータと、
インターアクセスサービスネットワーククロスオペレータロスレスリロケーションを実行するか否かを示すインジケータと、
ロスレスリロケーションの保証目標を示すためのパラメータと、
ロスレスリロケーションの保証レベルを示すためのパラメータと
のうち少なくとも１つを具備することを特徴とするワイヤレス通信システム。
【請求項１２】
サービス品質パラメータは、無線インタフェース上の要件を示すサービス品質パラメータと上部層サービスの情報を示すサービス品質パラメータとをさらに具備することを特徴とする請求項１１に記載のワイヤレス通信システム。
【請求項１３】
ワイヤレス通信システムは、マイクロ波アクセスに関する世界的な相互運用（ＷｉＭａｘ）システムであって、サービス品質を実行するためのネットワークエンティティは、アクセスサービスネットワークゲートウェイ、サービング基地局、及び接続サービスネットワークを具備し、
アクセスサービスネットワークゲートウェイは、サービスを設定するためにモバイル加入者局からリクエストで伝えられたサービス品質パラメータ情報に従ってサービスフローに対するサービス品質パラメータをチェックするように、及びサービス品質パラメータに基づきモバイル加入者局のサービング基地局と接続サービスネットワークとの間でサービス転送トンネルの交渉及び設定を制御するように構成されることを特徴とする請求項１１または１２に記載のワイヤレス通信システム。
【請求項１４】
ワイヤレス通信システムは、マイクロ波アクセスに関する世界的な相互運用（ＷｉＭａｘ）システムであって、サービス品質を実行するためのネットワークエンティティは、アクセスサービスネットワークゲートウェイ、サービング基地局、及び接続サービスネットワークを具備し、
モバイル加入者局の加入したサービス品質パラメータに従ってサービスフローに対するサービス品質パラメータをチェックするように、モバイル加入者局サービス品質パラメータに従ってモバイル加入者局のサービング基地局に対して情報を交わし対応する無線ベアラを設定するように、及びモバイル加入者局のサービス品質パラメータに従って接続サービスネットワークに対して情報を交わし対応するトンネルを設定するように構成されることを特徴とする請求項１１または１２に記載のワイヤレス通信システム。
【請求項１５】
ワイヤレス通信システムは、マイクロ波アクセスに関する世界的な相互運用（ＷｉＭａｘ）システムであって、サービス品質を実行するためのネットワークエンティティは、アクセスサービスネットワークゲートウェイ、サービング基地局、及び接続サービスネットワークを具備し、
ネットワークに接続するためにモバイル加入者局によって開始されたプロシージャからモバイル加入者極の加入したＱｏＳパラメータを得るように、及び加入したサービス品質パラメータをサービング基地局に送信するように構成され、
加入したサービス品質パラメータに従ってサービスフローに対するモバイル加入者局のサービス品質パラメータをチェック及び決定するように、接続サービスネットワークに対して交渉するように、及びチェックされたサービス品質パラメータに従って接続サービスネットワークに対応するサービス転送トンネルを設定するように構成されることを特徴とする請求項１１または１２に記載のワイヤレス通信システム。
【請求項１６】
モバイル加入者局のハンドオーバ又はリロケーションが発生する時、アクセスサービスネットワークゲートウェイは、モバイル加入者局の新たなサービング基地局にサービス品質パラメータ情報を送信することを特徴とする請求項１５に記載のワイヤレス通信システム。
【請求項１７】
ワイヤレス通信システムは、マイクロ波アクセスに関する世界的な相互運用（ＷｉＭａｘ）システムであって、サービス品質を実行するためのネットワークエンティティは、サービング基地局及び接続サービスネットワークを具備し、
サービング基地局は、ネットワークに接続するためにモバイル加入者局によって開始されたプロシージャでモバイル加入者局の加入したＱｏＳパラメータを得るように、加入したサービス品質パラメータとサービス品質パラメータ情報とに従ってサービスフローに対するモバイル加入者局のサービス品質パラメータをチェック及び決定するように、接続サービスネットワークに対して交渉するように、及びチェックされたサービス品質パラメータに従って接続サービスネットワークに対応するサービス転送トンネルを設定するように構成されることを特徴とする請求項１１または１２に記載のワイヤレス通信システム。
【請求項１８】
サービス品質を実行するためのワイヤレス通信システムにおける装置であって、
リロケーションパフォーマンス表示パラメータを含むサービス品質パラメータを受信するように構成されたモジュールと、
転送されたロスレスリロケーション表示情報に従って特定のサービスフローにサービス品質保証を提供するように構成されたモジュールと、を具備し、
ロスレスリロケーション表示情報は、
イントラアクセスサービスネットワークロスレスリロケーションを実行するか否かを示すインジケータと、
インターアクセスサービスネットワークロスレスリロケーションを実行するか否かを示すインジケータと、
イントラアクセスサービスネットワーククロスオペレータロスレスリロケーションを実行するか否かを示すインジケータと、
インターアクセスサービスネットワーククロスオペレータロスレスリロケーションを実行するか否かを示すインジケータと、
ロスレスリロケーションの保証目標を示すためのパラメータと、
ロスレスリロケーションの保証レベルを示すためのパラメータと
のうち少なくとも１つを具備することを特徴とする装置。
【請求項１９】
サービス品質パラメータは、無線インタフェース上の要求を示すサービス品質パラメータと上部層サービスの情報を示すサービス品質パラメータとをさらに具備することを特徴とする請求項１８に記載の装置。
【請求項２０】
ワイヤレス通信システムは、マイクロ波アクセスに関する世界的な相互運用（ＷｉＭａｘ）システムであって、装置は、アクセスサービスネットワークゲートウェイであることを特徴とする請求項１８または１９に記載の装置。
【発明の詳細な説明】
【技術分野】
【０００１】
本発明は、ワイヤレス通信技術の分野に関し、具体的にはワイヤレス通信システムにおいてサービス品質（ＱｏＳ）保証を提供するための方法及びシステムに関する。
【背景技術】
【０００２】
広帯域符号分割多重アクセス（ＷＣＤＭＡ）システム及び符号分割多重アクセス（ＣＤＭＡ）システムのような既存のワイヤレス通信システムにおいて、差別化されたサービスをユーザに提供するために種々のユーザに異なるサービス品質保証を提供する必要がしばしばある。
【０００３】
ワイヤレス通信技術が発達するにつれ、マイクロ波アクセスに関する世界的な相互運用（ＷｉＭａｘ）システムは、ワイヤレス通信システムにおいてかなり注目を集める新たなワイヤレスブロードバンドアクセス技術になりつつある。ＷｉＭａｘシステムは、アクセスサービスネットワーク（ＡＳＮ）、接続サービスネットワーク（ＣＳＮ）及びモバイル加入者局（ＭＳＳ）を含む。ＡＳＮは、ＷｉＭａｘ加入者に無線アクセスを提供する一組のネットワーク機能である。ＡＳＮは、基地局（ＢＳ）及びＡＳＮゲートウェイ（ＡＳＮ  ＧＷ）のようなネットワーク要素を含む。一つのＡＳＮは、多数のＣＳＮによって共有されうる。ＣＳＮは、ＷｉＭａｘ加入者にインターネットプロトコル（ＩＰ）接続サービスを提供するように構成される。ＣＳＮは、認証認可アカウンティングサーバ（ＡＡＡサーバ）機能を含むことができる。
【０００４】
ＷＣＤＭＡシステム及びＣＤＭＡシステムと同様に、ＷｉＭａｘシステムにおいて、各ＱｏＳ保証をユーザに提供することが必要である。既存のＷｉＭａｘシステムにおいて、無線インタフェース情報の一部のみが定義される一方、全てのＷｉＭａｘアクセスネットワーク上のエンドツーエンドのＱｏＳパラメータ及び処理は、未だに定義されていない。即ち、ＷｉＭａｘに対して定義されたＱｏＳパラメータがなく、対応する処理プロシージャが提供されない。
【０００５】
故に、既存のＷｉＭａｘシステムにおいて種々のユーザに異なるＱｏＳ保証を提供することは不可能であり、即ちユーザに異なるレベルのＱｏＳを提供することが不可能である。
【発明の概要】
【課題を解決するための手段】
【０００６】
本発明は、種々のユーザに異なるサービス品質保証を提供するために、ワイヤレス通信システムにおいてサービス品質保証を提供するための方法及びシステムを提供する。
【０００７】
本発明は、ワイヤレス通信システムにおいてサービス品質保証を提供するための方法を提供する。方法は、リロケーションパフォーマンスを示すサービス品質パラメータをワイヤレス通信システムにおいて定義する過程と、リロケーションパフォーマンスを示すサービス品質パラメータを含むサービス品質パラメータについて、ワイヤレス通信システムにおけるエンティティ間で交渉する過程と、対応するサービスフローに、交渉されたサービス品質パラメータに対応するサービス品質保証を提供する過程とを含む。
【０００８】
サービス品質パラメータを定義するためのプロシージャは、ワイヤレス通信システムにおいてサービス品質パラメータとしてロスレスリロケーション表示情報を定義する過程を含む。
【０００９】
本発明は、ワイヤレス通信システムにおいてサービス品質保証を提供するための方法を提供する。方法は、ワイヤレス通信システムにおいてロスレスリロケーション表示情報を定義する過程と、ワイヤレス通信システムにおけるエンティティ間でロスレスリロケーション表示情報を転送する過程と、転送されたロスレスリロケーション表示情報に従って特定のサービスフローにロスレス又は少なくとも比較的高いレベルのサービス品質保証を提供する過程とを含む。
【００１０】
サービス品質パラメータを定義するためのプロシージャは、ワイヤレス通信システムにおいてサービス品質パラメータとしてロスレスリロケーション表示情報を定義する過程を含む。
【００１１】
ワイヤレス通信システムは、ロスレスリロケーション処理プロシージャを有し、マイクロ波アクセスに関する世界的な相互運用（ＷｉＭａｘ）システム、広帯域符号分割多重アクセス（ＷＣＤＭＡ）システム、符号分割多重アクセス（ＣＤＭＡ）システム、ＣＤＭＡ−２０００システム、及び時分割同期符号分割多重アクセス（ＴＤ−ＳＣＤＭＡ）システムを少なくとも含む。
【００１２】
ＷｉＭａｘシステムにおいて、ロスレスリロケーション表示情報は、イントラアクセスサービスネットワーク（ＡＳＮ）ロスレスリロケーションを実行するか否かを示すインジケータと、インターＡＳＮロスレスリロケーションを実行するか否かを示すインジケータと、イントラＡＳＮクロスオペレータロスレスリロケーションを実行するか否かを示すインジケータと、インターＡＳＮクロスオペレータロスレスリロケーションを実行するか否かを示すインジケータと、ロスレスリロケーションの目標又はレベルを表示及び保証するためのパラメータとを含む。
【００１３】
本発明はまた、ワイヤレス通信システムにおいてサービス品質保証を提供するための方法を提供する。方法は、無線インタフェース上の要件を示すサービス品質パラメータと上部層サービスの情報を示すサービス品質パラメータとを含むサービス品質パラメータをワイヤレス通信システムにおいて定義する過程を含み、上部層サービスの情報を示すサービス品質パラメータは、トラヒッククラス、トラヒックに関するユーザ優先度、サービスデータユニットエラー率、残留ビットエラー率、及び／又は不正確なサービスデータユニットの配信を少なくとも含み、ワイヤレス通信システムにおけるエンティティ間でサービス品質パラメータについて交渉する過程と、交渉されたサービス品質パラメータに対応するサービス品質保証を提供する過程とを含む。
【００１４】
ＷｉＭａｘシステムにおいて、アクセスサービスネットワークゲートウェイがサービス品質交渉の制御に関与する場合、交渉プロシージャは、アクセスサービスネットワークゲートウェイにサービスを設定するリクエストをモバイル加入者局によって送信し、サービス品質パラメータがリクエストで伝えられる過程と、加入したサービス品質パラメータに従ってサービスフローに対するサービス品質パラメータをアクセスサービスネットワークゲートウェイによってチェックする過程と、アクセスサービスネットワークゲートウェイの制御下で、サービス品質パラメータに基づきモバイル加入者局のサービング基地局と接続サービスネットワークとの間で対応するサービス転送トンネルについて交渉及び設定する過程とを含む。
【００１５】
サービス転送トンネルについて設定するためのプロシージャは、モバイル加入者局のサービス品質パラメータに従ってモバイル加入者局のサービング基地局に対して情報を交わすことを介して対応する無線ベアラをアクセスサービスネットワークゲートウェイによって設定する過程と、モバイル加入者局のサービス品質パラメータに従って接続サービスネットワークに対して情報を交わすことを介して対応するトンネルをアクセスサービスネットワークゲートウェイによって設定する過程とを含む。
【００１６】
サービス品質保証を提供するためのプロシージャは、対応するサービス転送トンネルを設定した後、モバイル加入者局に応答メッセージをアクセスサービスネットワークゲートウェイによって返し、交渉されたサービス品質パラメータが応答メッセージで伝えられる過程と、サービス転送トンネルに基づき対応するサービスをモバイル加入者局によって開始する過程とを含む。
【００１７】
ＷｉＭａｘシステムにおいて、アクセスサービスネットワークゲートウェイが加入データを得ることに関与しサービング基地局がサービス品質交渉の制御に関与する場合、交渉するためのプロシージャは、ネットワークに接続するためにモバイル加入者局によって開始されたプロシージャからモバイル加入者局の加入したサービス品質パラメータをアクセスサービスネットワークゲートウェイによって得る過程と、加入したサービス品質パラメータをアクセスサービスネットワークゲートウェイによってサービング基地局に送信する過程と、サービスを設定するリクエストをサービング基地局へモバイル加入者局によって送信し、サービス品質パラメータ情報がリクエストで伝えられる過程と、加入したサービス品質パラメータとサービス品質パラメータ情報とに従ってサービスフローに対するサービス品質パラメータをサービング基地局によってチェック及び決定する過程と、チェックされたサービス品質パラメータに従って、接続サービスネットワークに対してモバイル加入者局のサービング基地局によって交渉し、接続サービスネットワークに対応するサービス転送トンネルをモバイル加入者局のサービング基地局によって設定する過程とを含む。
【００１８】
交渉するためのプロシージャは、モバイル加入者局のハンドオーバ又はロケーション更新が発生する時、モバイル加入者局の新たなサービング基地局にサービス品質パラメータ情報をアクセスサービスネットワークゲートウェイによって送信する過程をさらに含む。
【００１９】
サービス品質保証を提供するためのプロシージャは、対応するサービス転送トンネルを設定した後、モバイル加入者局に応答メッセージをサービング基地局によって返し、モバイル加入者局の交渉されたサービス品質パラメータ情報が応答メッセージで伝えられる過程と、サービス転送トンネルに基づき対応するサービスをモバイル加入者局によって開始する過程とを含む。
【００２０】
ＷｉＭａｘにおいて、サービング基地局が加入データを得ること及びサービス品質交渉を制御することに関与する場合、交渉するためのプロシージャは、ネットワークに接続するためにモバイル加入者局によって開始されたプロシージャからモバイル加入者局の加入したサービス品質パラメータをサービング基地局によって得る過程と、サービスを設定するリクエストをサービング基地局へモバイル加入者局によって送信し、サービス品質パラメータ情報がリクエストで伝えられる過程と、加入したサービス品質パラメータとサービス品質パラメータ情報とに従ってサービスフローに対するサービス品質パラメータをサービング基地局によってチェック及び決定する過程と、チェックされたサービス品質パラメータに従って、接続サービスネットワークに対してモバイル加入者局のサービング基地局によって交渉し、接続サービスネットワークに対応するサービス転送トンネルをモバイル加入者局のサービング基地局によって設定する過程とを含む。
【００２１】
サービス品質保証を提供するためのプロシージャは、対応するサービス転送トンネルの設定後、モバイル加入者局へ応答メッセージをサービング基地局によって返し、モバイル加入者局の交渉されたサービス品質パラメータ情報が応答メッセージで伝えられる過程と、サービス転送トンネルに基づき対応するサービスをモバイル加入者局によって開始する過程とを含む。
【００２２】
本発明は、ワイヤレス通信システムを提供し、サービス品質を実行するためのエンティティを含み、サービス品質を実行するためのネットワークエンティティは、リロケーションパフォーマンス表示パラメータを含むサービス品質パラメータについて互いに交渉し、対応するサービスフローに、交渉されたサービス品質パラメータに対応するサービス品質保証を提供する。
【００２３】
ワイヤレス通信システムは、マイクロ波アクセスに関する世界的な相互運用（ＷｉＭａｘ）システム、広帯域符号分割多重アクセス（ＷＣＤＭＡ）システム、符号分割多重アクセス（ＣＤＭＡ）システム、ＣＤＭＡ−２０００システム又は時分割同期符号分割多重アクセス（ＴＤ−ＳＣＤＭＡ）システムである。
【００２４】
本発明はまた、マイクロ波アクセスに関する世界的な相互運用（ＷｉＭａｘ）システムを提供し、ＷｉＭａｘシステムにおいてサービス品質を実行するためのネットワークエンティティは、アクセスサービスネットワークゲートウェイ、サービング基地局、及び接続サービスネットワークを含み、アクセスサービスネットワークゲートウェイは、サービスを設定するためにモバイル加入者局からリクエストで伝えられたサービス品質パラメータ情報に従ってサービスフローに対するサービス品質パラメータをチェックするように、及びサービス品質パラメータに基づきモバイル加入者局のサービング基地局と接続サービスネットワークとの間でサービス転送トンネルの交渉及び設定を制御するように構成される。
【００２５】
本発明はまた、マイクロ波アクセスに関する世界的な相互運用（ＷｉＭａｘ）システムを提供し、ＷｉＭａｘシステムにおいてサービス品質を実行するためのネットワークエンティティは、アクセスサービスネットワークゲートウェイ、サービング基地局、及び接続サービスネットワークを含み、アクセスサービスネットワークゲートウェイは、モバイル加入者局の加入したサービス品質パラメータに従ってサービスフローに対するサービス品質パラメータをチェックするように、対応する無線ベアラを設定するためにモバイル加入者局のサービス品質パラメータに従ってモバイル加入者局のサービング基地局に対して情報を交わすように、及び対応するトンネルを設定するためにモバイル加入者局のサービス品質パラメータに従って接続サービスネットワークに対して情報を交わすように構成される。
【００２６】
本発明はまた、マイクロ波アクセスに関する世界的な相互運用（ＷｉＭａｘ）システムを提供し、ＷｉＭａｘシステムにおいてサービス品質を実行するためのネットワークエンティティは、アクセスサービスネットワークゲートウェイ、サービング基地局、及び接続サービスネットワークを含み、ネットワークに接続するためにモバイル加入者局によって開始されたプロシージャからモバイル加入者極の加入したＱｏＳパラメータを得るように、及び加入したサービス品質パラメータをサービング基地局に送信するように構成され、加入したサービス品質パラメータに従ってサービスフローに対するモバイル加入者局のサービス品質パラメータをチェック及び決定するように、接続サービスネットワークに対して交渉するように、及びチェックされたサービス品質パラメータに従って接続サービスネットワークに対応するサービス転送トンネルを設定するように構成されることを特徴とするマイクロ波アクセスに関する世界的な相互運用（ＷｉＭａｘ）システム。
【００２７】
モバイル加入者局のハンドオーバ又はリロケーションが発生する時、アクセスサービスネットワークゲートウェイは、モバイル加入者局の新たなサービング基地局にサービス品質パラメータ情報を送信する。
【００２８】
本発明はまた、マイクロ波アクセスに関する世界的な相互運用（ＷｉＭａｘ）システムを提供し、ＷｉＭａｘシステムにおいてサービス品質を実行するためのネットワークエンティティは、サービング基地局及び接続サービスネットワークを含み、サービング基地局は、ネットワークに接続するためにモバイル加入者局によって開始されたプロシージャでモバイル加入者局の加入したＱｏＳパラメータを得るように、加入したサービス品質パラメータとサービス品質パラメータ情報とに従ってサービスフローに対するモバイル加入者局のサービス品質パラメータをチェック及び決定するように、接続サービスネットワークに対して交渉するように、及びチェックされたサービス品質パラメータに従って接続サービスネットワークに対応するサービス転送トンネルを設定するように構成される。
【発明の効果】
【００２９】
本発明が提供する技術的解決策によると、本発明は、ＷｉＭａｘがロスレスリロケーションを選択的に実行できるようにリロケーションパフォーマンスを示すサービス品質パラメータを定義する。特に、ＷｉＭａｘは、ＷｉＭａｘシステムにさらに適切なＱｏＳパラメータを提供するために、ネットワークの複雑性、クロスオペレータ加入、レイテンシ、パケットロス率、ユーザクラス等を集合的に考慮することを介してユーザがロスレスリロケーションに加入するか否かを決定することができる。また、ロスレスリロケーション表示パラメータは、これらワイヤレス通信システムのパフォーマンスを改善するためにＷＣＤＭＡ及びＣＤＭＡのような他のワイヤレス通信システムに適用されうる。
【００３０】
本発明はまた、全てのエンドツーエンドのＭＳＳ−ＡＳＮ−ＣＳＮベアラがＷｉＭａｘに関して保証されるように、ＷｉＭａｘに関してエンドツーエンドのＭＳＳ−ＡＳＮ−ＣＳＮ  ＱｏＳ交渉プロシージャを定義し、それによりＷｉＭａｘユーザに、差別化されたサービスを提供する。
【図面の簡単な説明】
【００３１】
【図１】図１は、本発明の一つの実施形態による、ＷｉＭａｘシステムにおけるロス    レスリロケーションを示す概略図である。
【図２】図２は、本発明の一つの実施形態による、加入データを得てサービス品質パ    ラメータの交渉を制御するＡＳＮ  ＧＷのためのプロシージャを示すフローチャート    である。
【図３】図３は、本発明の一つの実施形態による、加入データを得るＡＳＮ  ＧＷと    サービス品質パラメータの交渉を制御するＢＳとのためのプロシージャを示すフロー    チャートである。
【図４】図４は、図３のモバイル加入者局のロケーションが更新される時に実行され    る処理を示すフローチャートである。
【図５】図５は、図３のモバイル加入者局のハンドオーバが発生する時に実行される    処理を示すフローチャートである。
【図６】図６は、本発明の実施形態による、加入データを得てサービス品質パラメー    タの交渉を制御するＢＳのためのプロシージャに相当するフローチャートである。
【発明を実施するための形態】
【００３２】
本発明において、対応するＱｏＳパラメータは、ＷｉＭａｘシステムのプロパティに対して選択的に定義されうる。エンドツーエンドのＱｏＳ交渉は、対応するＱｏＳパラメータに従ってＷｉＭａｘシステムで実行されうる。本発明は、ＷｉＭａｘに対するＱｏＳパラメータ及び交渉プロシージャを示す。定義されたＱｏＳパラメータは、既存のワイヤレスネットワークで使用されなかったいくつかのパラメータを含む。本発明の実行は、ＷｉＭａｘシステムにおけるエンドツーエンドのＱｏＳ保証を可能にする。
【００３３】
本発明で提案されたパラメータは、ＡＳＮ  ＧＷ、ＢＳ、ＭＳＳ及びＣＳＮだけでなくＡＡＡサーバに対するエンドツーエンドのＱｏＳ交渉で使用されうる。
【００３４】
本発明で提案されたＷｉＭａｘ  ＱｏＳパラメータは、２つの部分即ち、８０２．１６ｅ（ワイヤレスアクセス標準）に基づき定義されたＱｏＳパラメータと、本発明に対して特別に定義されたＱｏＳパラメータとによって構成される。以下、これらＱｏＳパラメータの２つの部分は、それぞれ説明される。
【００３５】
８０２．１６ｅ（ワイヤレスアクセス標準）に基づき定義されたＷｉＭａｘ  ＱｏＳパラメータは、０〜７の範囲の値を有するトラヒックハンドリング優先度と、最大維持トラヒック比（ｋｂｐｓ）と、最大トラヒックバースト（Ｂｙｔｅ）と、最小予約トラヒック比（ｋｂｐｓ）と、許容ジッタと、最大レイテンシと、最大サービスデータユニット（ＳＤＵ）サイズとを含む。
【００３６】
本発明に対して特別に定義されたＷｉＭａｘ  ＱｏＳパラメータは、ユーザ優先度と、ＳＤＵエラー率と、残留ビットエラー率と、不正確なＳＤＵの配信と、ロスレスリロケーションインジケータと、トラヒッククラスとを含む。トラヒッククラスは、対話型で、ストリーミング型で、双方向性で、及びバックグラウンド性でもよく、必要に応じて拡張されてもよい。これら特別に定義されたＷｉＭａｘ  ＱｏＳパラメータはまた、同一の概念を持つ他の方法によって定義されてもよい。
【００３７】
本発明で提案されたＷｉＭａｘ  ＱｏＳパラメータは、本発明に対して特別に定義されたパラメータをより理解し易くするために以下で詳細に説明される。
【００３８】
（Ｉ）ユーザ優先度、即ちユーザの差別化されたレベル
このパラメータを使用して、ＷｉＭａｘエンドツーエンドのベアラ上の各種セクションは、種々のユーザを識別することができる。重要なユーザは、高い優先度を有する。例えば、アドミッションコントロールエンティティ、ソース分配エンティティ及びＱｏＳ実行（スケジュール、バッファリング等）エンティティ等であるがこれらに限定されないロジックエンティティは、ユーザの差別化されたレベルを考慮に入れることが必要である。また、ＱｏＳパラメータとしてユーザ優先度は、ＡＳＮ  ＧＷ及び特にＢＳに送信される必要がある。
【００３９】
このパラメータは、８ビットで示され、［０、１２７］の範囲の値を有することができる。この実施形態において、このパラメータは、１、２又は３の値を有するのが好ましい。このパラメータは、３ＧＰＰ２３．１０７の割当／保持優先度を定義する方法と類似した方法で定義される。
【００４０】
ユーザは、多数のサービスに加入することができ、それぞれ加入したサービスのＱｏＳプロフィールは、種々のユーザの差別化されたレベルを有することができる。例えば、ユーザＡは、普通のユーザとして従来のサービスに加入する一方、重要なユーザとしてビデオサービスに加入することができる。故に、ユーザの差別化されたレベルは、ユーザによって定義され、ユーザのユーザ優先度は、全てのユーザの加入したサービスによって同一又は異なることがある。
【００４１】
本発明において、ＢＳは、ＱｏＳエンフォースメントポイント（ＥＰ）として無線インタフェースのＱｏＳエンフォースメントに直接的に関与しなければならず、ユーザの差別化されたレベルを正確に区別する。決定ポイント（ＤＰ）とエンフォースメントポイント（ＥＰ）とを含むＡＳＮ  ＧＷはまた、ＡＳＮ  ＧＷのＱｏＳ  ＥＰがサービスフローに適用される時、ユーザの差別化されたレベルを正確に区別しなければならない。
【００４２】
ＷｉＭａｘのユーザは、ユーザが加入する全てのサービスによって同一のユーザ優先度又は異なるユーザ優先度を有しうることも本発明で示される。
【００４３】
（ＩＩ）ロスレスリロケーションインジケータ
本発明のロスレスリロケーションインジケータの提案は、ロスレスリロケーションが全てのケースにおいて必要ではないが、任意的な要件が特定のサービス要求、ユーザレベル及びネットワーク状態によって決まることを意味する。リロケーション又はハンドオーバパフォーマンスは、各種状態下でロスレスか否か、どのサービスフローがロスレスか、各種状態下でどれくらいロスレスか、各種状態下でロスレスのレベルは何か等のようなパラメータを含む。
【００４４】
ロスレスリロケーションは、ＢＳ間のハンドオーバが発生する時、古いＢＳ（元の基地局、即ちハンドオーバ前のサービング基地局）が、ダウンリンクデータパケットの連続性を保証するために、未だに配信されていないダウンリンクデータパケットを新しいＢＳに転送することを意味する。３ＧＰＰのＳＲＮＳリロケーションプロシージャに適用されたロスレスリロケーションの原理の一例として、古い無線ネットワークコントローラ（古いＲＮＣ）は、未だに配信されていないダウンリンクデータパケットを目標ＲＮＣに転送する。ＷｉＭａｘにおいて、ロスレスリロケーションは、ＢＳ間のハンドオーバが発生する時又はＢＳがハンドオーバプロシージャによって変更される時、古いＢＳが、未だに配信されていないダウンリンクデータパケットを新たなＢＳ（ハンドオーバ後のサービング基地局）に転送することを意味する。ロスレスリロケーションの原理はまた、類似の概念を持つＷｉＭａｘにおいて他のプロシージャで使用されうる。
【００４５】
図１を参照すると、サービング基地局１１１及びアクセスサービスネットワークゲートウェイ１２１からサービング基地局１１２及びアクセスサービスネットワークゲートウェイ１２２へのハンドオーバが発生する時、サービングベースステーション１１１は、未だに配信されていないダウンリンクデータパケットをサービング基地局１１２に転送する。この実施形態において、アクセスサービスネットワークゲートウェイ１２１及びアクセスサービスネットワークゲートウェイ１２２は、同一の接続サービスネットワーク１３０に接続する。
【００４６】
ＷｉＭａｘに対して、本発明は、ＱｏＳパラメータとしてロスレスリロケーションを支援するか否かをとり、本発明は、ユーザに関して差別化されたサービスでロスレスリロケーションが使用されうることを提案する。本発明は、ロスレスリロケーションがいくつかのケースにおいて相対的に意味をなさないか又はほとんど意味をなさないこと、及びネットワークの複雑性、クロスオペレータ加入、レイテンシ及びパケットロス比、ユーザクラス等を集合的に考慮することを介してユーザがロスレスリロケーションに加入するか否かが決定されうることを提案する。
【００４７】
本発明の実施形態において、以下のケースは、適切なロスレスリロケーションインジケータを構成するために考慮されうる。
【００４８】
１．全てのサービスがロスレスリロケーションを必要とするとは限らない。特定のレベルまでのパケットロスが許容されるいくつかのサービスは、ロスレスリロケーションを必要としないように構成されてもよい。
【００４９】
２．リアルタイムビデオストリーム等のいくつかのケースにおいて、ダウンリンクデータパケットは、データパケットがロスレスリロケーションで転送されるのを待つ必要がない。なぜなら、パケットロス比よりもリアルタイムのほうが比較的高い要件のことがあるためである。
【００５０】
３．いくつかのネットワーク状態において、ロスレスリロケーションで転送されたデータパケットは、かなり長いレイテンシを有することができ、データパケットが目標エンティティに転送される時にそれらが役に立たなくなることをもたらす。
【００５１】
４．クロスオペレータハンドオーバが発生する時、オペレータは、ロスレスリロケーションを保証するために多数の層上でネットワークセキュリティと相互接続性とを設計する必要があるので、ネットワーク設計が困難となり、ネットワーク化がさらに複雑となる。
【００５２】
故に、オペレータは、ロスレスリロケーションを実行するために特にネットワーク化とセキュリティとにおいて費用を支払う必要がある。故に、本発明では、ロスレスリロケーションは単に、ユーザの差別化されたサービスを提供するためのアプローチとしてとられ、単にロスレスリロケーション上で要求を有する重要なユーザ又はユーザに対して実行される。
【００５３】
この実施形態において、このパラメータは、４ビットで提供される。４ビット中、ビット１は、イントラＡＳＮロスレスリロケーションを実行するか否かを示し、ビット２は、インターＡＳＮロスレスリロケーションを実行するか否かを示し、ビット３は、イントラＡＳＮクロスオペレータロスレスリロケーションを実行するか否かを示し、ビット４は、インターＡＳＮクロスオペレータロスレスリロケーションを実行するか否かを示す。このパラメータはまた、ロスレスリロケーションが対応するサービスフローと、ロスレスリロケーションのために転送されることが必要なシーケンス番号とを含むことができ、又はロスレスリロケーションの目標又はレベルを示し、保証できる他のパラメータを含むことができる。
【００５４】
本発明は、この実施形態で説明されたパラメータ定義アプローチに限定されず、ロスレスリロケーションを実行するか否かを反映する全てのアプローチが採用されうる。
【００５５】
このパラメータに基づき、オペレータは、ロスレスリロケーションに加入するユーザの移動領域と数とに従って、物理的接続分配及びパフォーマンス要件を計画することができる。
【００５６】
ＢＳは、加入したＱｏＳのロスレスリロケーションインジケータに従って、ロスレスリロケーションプロシージャを開始するか否かを検定する。
【００５７】
（ＩＩＩ）ＳＤＵエラー率、残留ビットエラー率、不正確なＳＤＵの配信
本発明の一つの実施形態において、信頼パラメータは、ＱｏＳパラメータとしてＷｉＭａｘに関して定義され、上部層のサービスが、信頼要件を支援するために物理層とデータリンク層とを必要とすることが提案される。
【００５８】
上記３つの信頼パラメータは、３ＧＰＰ２３．１０７に関連して定義されうる。ＱｏＳの点において、上部層のサービスは、サービスの実行とサービスの品質とを保証するために、データパケット配信上で信頼要件を有することができる。データリンク層と物理層とは、対応するメカニズムを介してこの信頼要件を満たすことが必要とされる。
【００５９】
（ＩＶ）トラヒッククラス
本発明の一つの実施形態において、トラヒッククラスは、３ＧＰＰのそれと同一であり、対話型クラスと、ストリーミングクラスと、双方向性クラスと、バックグラウンドクラスとを含み、必要に応じて拡張できる。
【００６０】
ＷｉＭａｘ  ＱｏＳ処理プロシージャは、上記定義したサービス品質パラメータに基づき以下に説明される。本発明は、加入データを得るためのエンティティとＱｏＳ交渉を制御するためのエンティティとに従って３つの処理プロシージャを提供する。これら処理プロシージャは、別々に使用でき、以下の通り各々説明される。
【００６１】
一つの処理プロシージャにおいて、ＡＳＮ  ＧＷは、加入データを得て、ＱｏＳ交渉を制御する。この処理プロシージャにおいて、ＢＳは、ＱｏＳ  ＥＰを実行するが、交渉制御ＤＰを実行しない。図２に示す通り、特定の処理プロシージャは、以下のようなステップを含む。
【００６２】
ステップ２１において、ネットワーク接続は、モバイル加入者局（ＭＳＳ）とＡＳＮ  ＧＷとの間に設定される。
【００６３】
ステップ２２において、ＡＳＮ  ＧＷは、ＡＡＡサーバから加入データを得る。加入データは、サービスに関するＱｏＳ交渉で使用されうる。
【００６４】
加入データは、ロスレスリロケーションインジケータと全ての他のＱｏＳパラメータとを含む。
【００６５】
ステップ２３において、ＡＳＮ  ＧＷは、モバイル加入者局に承認メッセージを返す。
【００６６】
ステップ２４において、モバイル加入者局は、セッションを設定するリクエストをＡＳＮ  ＧＷに送信し、サービスに必要なＱｏＳ情報がリクエストメッセージで伝えられる。
【００６７】
ＱｏＳ情報は、全ての先に定義されたパラメータからなるが、パラメータの一部が任意的であることが許容される。
【００６８】
ステップ２５において、ＡＳＮ  ＧＷは、加入データに従ってリクエストメッセージのＱｏＳ情報をチェックし、サービスに提供されうるＱｏＳパラメータを決定し、パラメータが加入データによって許容されるか否かを決定するためにリクエストの各パラメータと得られた加入データとを対比することを含む。
【００６９】
ステップ２６において、ＡＳＮ  ＧＷは、決定されたＱｏＳパラメータを用いてサービング基地局（ＢＳ）に対して情報を交わし、サービスを転送するための無線ベアラを設定する。
【００７０】
情報交換は、ロスレスリロケーションインジケータと差別化されたレベルパラメータとが交渉されることなくサービング基地局に配信されることを除いて、全ての先に定義されたパラメータについて交渉することを含む。
【００７１】
ステップ２７において、ＡＳＮ  ＧＷは、決定されたＱｏＳパラメータに従ってＣＳＮに対して情報を交わすことを介してサービスを転送するためのトンネルを設定する。
【００７２】
情報交換は、ロスレスリロケーションインジケータがＣＳＮに対して役に立たなくなりＣＳＮに送信されることがなく、かつ差別化されたレベルパラメータがＣＳＮに配信される必要があることを除いて、全ての先に定義されたパラメータについて交渉することを含む。
【００７３】
ステップ２８において、サービスを転送するためのトンネルが設定される時、ＡＳＮ  ＧＷは、モバイル加入者局に承認メッセージを返し、モバイル加入者局に提供されうるＱｏＳパラメータが承認メッセージで伝えられる。
【００７４】
ＱｏＳパラメータは、全ての先に定義されたパラメータからなるが、パラメータの一部が任意的であることが許容される。
【００７５】
ステップ２９において、モバイル加入者局は、設定されたトンネルでサービスを転送し、サービスを開始し、トンネルに基づきサービスへ対応するＱｏＳ保証を提供する。
【００７６】
図２に示すような処理プロシージャにおいて、モバイル加入者局のハンドオーバ又はリロケーション（イントラＡＳＮ  ＧＷハンドオーバ又はリロケーション、及びインターＡＳＮ  ＧＷハンドオーバ又はリロケーションを含む）が発生する時でも、ＱｏＳは、通常のＡＳＮ  ＧＷ−ＢＳサービスフロー関連プロシージャ又は定義されたＡＳＮ  ＧＷ−通常の関連プロシージャに類似したＢＳサービスフロー関連プロシージャによって生成及び交渉されうる。
【００７７】
ハンドオーバ又はリロケーションプロシージャを実行する時、古いＢＳは、モバイル加入者局へ未だに配信されていないユーザプレーン上のダウンリンクパケットを新たなＢＳに転送するか否かを決定する。
【００７８】
もう一つの処理プロシージャにおいて、ＡＳＮ  ＧＷは、加入データを得て、モバイル加入者局のサービング基地局（ＢＳ）は、ＱｏＳ交渉を制御する。この処理プロシージャにおいて、ＢＳは、ＱｏＳ  ＥＰだけでなく交渉制御ＤＰも実行する。図３に示す通り、特定の処理プロシージャは、以下のようなステップを含む。
【００７９】
ステップ３１において、ネットワーク接続は、モバイル加入者局とＡＳＮ  ＧＷとの間に設定される。
【００８０】
ステップ３２において、ＡＳＮ  ＧＷは、ＡＡＡサーバから加入データを得る。加入データは、サービスに関するＱｏＳ交渉に使用されうる。
【００８１】
加入データは、ロスレスリロケーションインジケータと全ての他のＱｏＳパラメータとを含む。
【００８２】
ステップ３３において、ＡＳＮ  ＧＷは、モバイル加入者局に承認メッセージを返す。
【００８３】
ステップ３４において、ＡＳＮ  ＧＷはＢＳに対して、得られた加入データを交わす。ＡＳＮ  ＧＷは、ＢＳが加入データに従ってＱｏＳ交渉を実行できるように、ＢＳに得られた加入データを送信する。
【００８４】
ステップ３５において、モバイル加入者局は、セッションを設定するリクエストをＢＳに送信し、サービスに必要なＱｏＳ情報がリクエストメッセージで伝えられる。
【００８５】
ＱｏＳ情報は、全ての先に定義されたパラメータからなるが、パラメータの一部が任意的であることが許容される。
【００８６】
ステップ３６において、ＢＳは、加入データに従ってＱｏＳ情報をチェックし、サービスに提供されうるＱｏＳパラメータについて交渉及び決定し、パラメータが加入データによって許容されるか否かを決定するためにリクエストされた各パラメータとステップ３２で得られた加入データとを対比することを含み、ＢＳ上でローカルに資源をチェックする。
【００８７】
ステップ３７において、ＢＳは、決定されたＱｏＳパラメータに基づきＡＳＮ  ＧＷ及びＣＳＮに対して交渉を開始し、サービスを転送するためのサービス転送トンネルを設定する。
【００８８】
交渉は、ロスレスリロケーションインジケータがＡＳＮ  ＧＷ／ＣＳＮに対して役に立たなくなりＡＳＮ  ＧＷ／ＣＳＮに送信されることがないこと、及び差別化されたレベルパラメータがＡＳＮ  ＧＷ／ＣＳＮに配信される必要があることを除いて、全ての先に定義されたパラメータについて交渉することを含む。ＡＳＮ  ＧＷはまた、加入したＱｏＳ情報から差別化されたレベルを直接得ることができる。
【００８９】
ステップ３８において、サービス転送トンネルが設定される時、ＢＳは、モバイル加入者局に承認メッセージを返し、モバイル加入者局に提供されうるＱｏＳパラメータが承認メッセージで伝えられる。ＱｏＳパラメータは、全ての先に定義されたパラメータからなるが、パラメータの一部が任意的であることが許容される。
【００９０】
ステップ３９において、モバイル加入者局は、設定したトンネルでサービスを転送し、サービスを開始し、トンネルに基づきサービスへ対応するＱｏＳ保証を提供する。
【００９１】
図３に示すような処理プロシージャにおいて、モバイル加入者局のハンドオーバ又はリロケーションが発生する時、ＡＳＮ  ＧＷは、モバイル加入者局のハンドオーバ又はロケーション更新の後、新たなサービング基地局（ＢＳ）へ対応する加入データを送信する必要がある。対応する処理プロシージャは、図４及び５に示され、以下のように各々説明される。
【００９２】
図４は、モバイル加入者局が移動してイントラＡＳＮ−ＧＷ又はインターＡＳＮ−ＧＷロケーション更新をもたらす時に実行される特定の処理プロシージャを示す。処理プロシージャは、以下のようなステップを含む。
【００９３】
ステップ４１において、モバイル加入者局は、そのロケーションが他のＢＳに更新されるという事実をＡＳＮ  ＧＷに知らせる。
【００９４】
ステップ４２において、ＡＳＮ  ＧＷが不変であることを維持する場合、プロシージャは、ステップ４３に進み、そうでない場合、ＡＳＮ  ＧＷは、サービスに関するＱｏＳ交渉で使用されることになる加入データをＡＡＡサーバから再び得る。
【００９５】
加入データは、ロスレスリロケーションインジケータと全ての他のＱｏＳパラメータとを含む。
【００９６】
ステップ４３において、ＡＳＮ  ＧＷは、モバイル加入者局に承認メッセージを返す。
【００９７】
ステップ４４において、ＡＳＮ  ＧＷは、モバイル加入者局を現在サービングするＢＳに対して、得られた加入者データを交わす。ＡＳＮ  ＧＷは、ＢＳが加入データに従ってＱｏＳ交渉を実行できるように、得られた加入者データをＢＳに送信する。
【００９８】
図５は、イントラＡＳＮ−ＧＷ又はインターＡＳＮ−ＧＷハンドオーバが発生する時に実行される処理プロシージャを示す。図５の新たなＡＳＮ  ＧＷは、インターＡＳＮ  ＧＷリロケーションが発生する時のみ存在し、新たなＡＳＮ  ＧＷは、ハンドオーバ又はリロケーションが同一のＡＳＮで発生する時、元のＡＳＮ  ＧＷである。図５のプロシージャは、以下のようなステップを含む。
【００９９】
ステップ５１において、モバイル加入者局を最初にサービングするＢＳは、モバイル加入者局のハンドオーバ、即ち新たなＡＳＮ  ＧＷがサービングする新たなＢＳへモバイル加入者局がハンドオーバされるという事実を元のＡＳＮ  ＧＷ、新たなＡＳＮ  ＧＷ及び新たなＢＳに知らせる。新たなＢＳは、リロケーションの前にモバイル加入者局によって使用されたＱｏＳパラメータをこのプロセスを介して得てからその独自の資源を割り当てることができる。ＱｏＳパラメータは、全ての先に定義されたパラメータからなる。
【０１００】
ハンドオーバ又はリロケーションプロシージャを実行する時、古いＢＳは、未だにモバイル加入者局に配信されていないユーザプレーン上のダウンリンクパケットを新たなＢＳに転送するか否かを決定する。
【０１０１】
ステップ５２において、新たなＡＳＮ  ＧＷは、サービスに関するＱｏＳ交渉で使用されることになる加入データをＡＡＡサーバから得る。
【０１０２】
加入データは、ロスレスリロケーションデータと全ての他のＱｏＳパラメータとを含む。
【０１０３】
ステップ５３において、新たなＡＳＮ  ＧＷは、モバイル加入者局（即ち、新たなＢＳ）に現在サービングするＢＳに対して、得られた加入データを交わす。新たなＡＳＮ  ＧＷは、新たなＢＳが加入データに従って後続のＱｏＳ交渉を実行できるように、得られた加入データを新たなＢＳに送信する。
【０１０４】
新たなＢＳによる後続の処理において、リロケーションプロシージャが開始される場合、新たなＢＳは、ロスレスリロケーションインジケータに従って、未だに配信されていないユーザプレーン上のダウンリンクデータパケットを転送するか否かを決定する。新たなＢＳがダウンリンクデータを転送しないと決めた場合、それは、これらのダウンリンクデータを廃棄する。
【０１０５】
もう一つの処理プロシージャにおいて、モバイル加入者局のサービング基地局（ＢＳ）は、加入データを得てＱｏＳ交渉を制御する。この処理プロシージャにおいて、ＢＳは、ＱｏＳ  ＥＰだけでなく交渉制御ＤＰも実行する。図６に示す通り、特定の処理プロシージャは、以下のようなステップを含む。
【０１０６】
ステップ６１において、ネットワーク接続は、モバイル加入者局（ＭＳＳ）とＢＳとの間に設定される。
【０１０７】
ステップ６２において、ＢＳは、サービスに関するＱｏＳ交渉で使用されることになる加入データをＡＡＡサーバから得る。
【０１０８】
加入データは、ロスレスリロケーションインジケータと全ての他のＱｏＳパラメータとを含む。
【０１０９】
ステップ６３において、ＢＳは、モバイル加入者局へ承認メッセージを返す。
【０１１０】
ステップ６４において、モバイル加入者局は、セッションを設定するリクエストをＢＳに送信し、サービスに必要なＱｏＳ情報がリクエストメッセージで伝えられる。ＱｏＳ情報は、全ての先に定義されたパラメータからなるが、パラメータの一部が任意的であることが許容される。
【０１１１】
ステップ６５において、ＢＳは、加入データに従ってリクエストメッセージのＱｏＳ情報をチェックし、サービスに提供されうるＱｏＳパラメータを決定し、パラメータが加入データによって許容されるか否かを決定するためにリクエストされた各パラメータとステップ６２で得られた加入データとを対比すること、及びＢＳ上でローカルに資源をチェックすることを含む。
【０１１２】
ステップ６６において、ＢＳは、決定されたＱｏＳパラメータを用いてＡＳＮ  ＧＷ及びＣＳＮに対して情報を交わし、サービスを転送するためのトンネルを設定する。
【０１１３】
情報交換は、ロスレスリロケーションインジケータがＡＳＮ  ＧＷ／ＣＳＮに対して役に立たずＡＳＮ  ＧＷ／ＣＳＮに送信されることがないこと、及び差別化されたレベルパラメータがＡＳＮ  ＧＷ／ＣＳＮに配信される必要があることを除いて、全ての先に定義されたパラメータについて交渉することを含む。
【０１１４】
ステップ６７において、サービスを転送するためのトンネルが設定される時、ＢＳは、モバイル加入者局に承認メッセージを返し、モバイル加入者局に提供されうるＱｏＳパラメータが承認メッセージで伝えられる。ＱｏＳパラメータのテンプレートは、全ての先に定義されたパラメータからなるが、パラメータの一部が任意的であることが許容される。
【０１１５】
ステップ６８において、モバイル加入者局は、設定されたトンネルに対してサービスを転送し、サービスを開始し、トンネルに基づきサービスへ対応するＱｏＳ保証を提供する。
【０１１６】
モバイル加入者局のハンドオーバ及びリロケーションが発生する時、古いＢＳ上で交渉されたＭＳのパラメータは、新たなＢＳに転送される。新たなＢＳは、交渉されたパラメータに従って資源を割り当て、古いＢＳからのハンドオーバ／リロケーションリクエストに応答する。その後、新たなＢＳは、後続のＱｏＳ交渉で加入データを使用するために全ての加入データ（ＱｏＳを含む）をＡＡＡサーバにリクエストする。
【０１１７】
ハンドオーバ又はリロケーションプロシージャを実行する時、古いＢＳは、モバイル加入者局へ未だに配信されていないユーザプレーン上のダウンリンクパケットを新たなＢＳに転送するか否かを決定する。
【０１１８】
本発明は、ユーザがネットワークの複雑性、クロスオペレータ加入、レイテンシ及びパケットロス比、ユーザクラス等を集合的に考慮することを介してロスレスリロケーションに加入するか否かをＷｉＭａｘが決定できるように、ＷｉＭａｘに関してエンドツーエンドのＭＳＳ−ＡＮＳ−ＣＳＮ  ＱｏＳパラメータを定義する。本発明はまた、ＷｉＭａｘシステムが全てのエンドツーエンドのＭＳＳ−ＡＳＮ−ＣＳＮベアラ上でＱｏＳを保証することができるように、ＷｉＭａｘに関して３つのエンドツーエンドのＭＳＳ−ＡＳＮ−ＣＳＮ  ＱｏＳ交渉プロシージャを定義し、それによりＷｉＭａｘユーザに、差別化されたサービスを提供する。
【０１１９】
本発明の実施形態によるワイヤレス通信システムは、サービス品質を実行するためのネットワークエンティティを含む。サービス品質を実行するためのネットワークエンティティは、リロケーションパフォーマンス表示パラメータを含むサービス品質パラメータについて互いに交渉し、交渉されたサービス品質パラメータに対応するサービス品質保証を、対応するサービスフローに提供する。
【０１２０】
ワイヤレス通信システムは、マイクロ波アクセスに関する世界的な相互運用（ＷｉＭａｘ）システム、広帯域符号分割多重アクセス（ＷＣＤＭＡ）システム、符号分割多重アクセス（ＣＤＭＡ）システム、ＣＤＭＡ−２０００システム、又は時分割同期符号分割多重アクセス（ＴＤ−ＳＣＤＭＡ）システムにすることができる。ワイヤレス通信システムは、上記システムに限定されないが、ロスレスリロケーション処理プロシージャを含む種々のワイヤレス通信システムにすることができる。
【０１２１】
独創的なＷｉＭａｘシステムに対する一つの実施形態において、サービス品質を実行するためのネットワークエンティティは、アクセスサービスネットワークゲートウェイと、サービング基地局と、接続サービスネットワークとを含む。
【０１２２】
実施形態において、アクセスサービスネットワークゲートウェイは、サービスを設定するためにモバイル加入者局からのリクエストで伝えられたサービス品質パラメータに従ってサービスフローに対するサービス品質パラメータをチェックするように、及びサービス品質パラメータに基づきモバイル加入者局のサービング基地局と接続サービスネットワークとの間におけるサービス転送トンネルの交渉及び設定を制御するように構成される。
【０１２３】
独創的なＷｉＭａｘシステムに対するもう一つの実施形態において、サービス品質を実行するためのネットワークエンティティは、アクセスサービスネットワークゲートウェイと、サービング基地局と、接続サービスネットワークとを含む。
【０１２４】
実施形態において、アクセスサービスネットワークゲートウェイは、モバイル加入者局の加入したサービス品質パラメータに従ってサービスフローに対するサービス品質パラメータをチェックするように、モバイル加入者局のサービス品質パラメータに従ってモバイル加入者局のサービング基地局に対して情報を交わして対応する無線ベアラを設定するように、及びモバイル加入者局のサービス品質パラメータに従って接続サービスネットワークに対して情報を交わして対応するトンネルを設定するように構成される。
【０１２５】
独創的なＷｉＭａｘシステムに対するもう一つの実施形態において、サービス品質を実行するためのネットワークエンティティは、アクセスサービスネットワークゲートウェイと、サービング基地局と、接続サービスネットワークとを含む。
【０１２６】
実施形態において、アクセスサービスネットワークゲートウェイは、ネットワークに接続するためにモバイル加入者局によって開始されたプロシージャでモバイル加入者局の加入したＱｏＳパラメータを得るように、及び加入したサービス品質パラメータをサービング基地局に送信するように構成される。
【０１２７】
サービング基地局は、加入したサービス品質パラメータに従ってサービスフローに対するモバイル加入者局のサービス品質パラメータをチェック及び決定するように、接続サービスネットワークに対して交渉するように、及びチェックされたサービス品質パラメータに従って接続サービスネットワークに、対応するサービス転送トンネルを設定するように構成される。
【０１２８】
モバイル加入者局のハンドオーバ又はリロケーションが発生する時、アクセスサービスネットワークゲートウェイは、モバイル加入者局の新たなサービング基地局にサービス品質パラメータを送信する。
【０１２９】
独創的なＷｉＭａｘシステムに対する一つの実施形態において、サービス品質を実行するためのネットワークエンティティは、サービング基地局と接続サービスネットワークとを含む。
【０１３０】
サービング基地局は、ネットワークに接続するためにモバイル加入者局によって開始されたプロシージャからモバイル加入者局の加入したＱｏＳパラメータを得るように、加入したサービス品質パラメータに従ってサービスフローに対するモバイル加入者局のサービス品質パラメータをチェック及び決定するように、接続サービスネットワークに対して交渉するように、及びチェックされたサービス品質パラメータに従って接続サービスネットワークに、対応するサービス転送トンネルを設定するように構成される。
【０１３１】
上記は、本発明の好ましい実施形態である。本発明の範囲をこれら実施形態に限定することを意図しない。本開示を鑑みて当業者にとって想到可能な変更及び置換は、本発明の範囲内にある。本発明の範囲は、添付の請求項によって定義されることを意図する。
【符号の説明】
【０１３２】
１１１  サービング基地局（ＢＳ）
１２１  アクセスサービスネットワークゲートウェイ（ＡＳＮ  ＧＷ）
１３０  接続サービスネットワーク（ＣＳＮ）
【図１】
2011139528.tif 000003
【図２】
2011139528.tif 000004
【図３】
2011139528.tif 000005
【図４】
2011139528.tif 000006
【図５】
2011139528.tif 000007
【図６】
2011139528.tif 000008